(57)【特許請求の範囲】
【請求項１】
鍵と、当該鍵の動作に応じて移動するジャックおよび移動する前記ジャックの一部に当接して当該ジャックの移動方向を変えるレギュレーチング部材を有する打弦アクション機構とを備える鍵盤楽器において、前記ジャックが移動方向を変えるタイミングを調整する装置であって、
移動する前記ジャックにおける前記レギュレーチング部材が当接する位置と異なる位置に当接して前記ジャックの回動速度を変える第２レギュレーチング部材と、
前記第２レギュレーチング部材を保持するアーム部材と、
前記アーム部材が取り付けられ、回動することによって、前記第２レギュレーチング部材を前記ジャックに当接する位置と、当接しない位置との間で変位させる回動軸と、
前記回動軸への前記アーム部材の取付位置を変更することにより当該アーム部材に保持される前記第２レギュレーチング部材の位置を移動させて前記ジャックの一部との当接タイミングを調節する調節機構と、
前記調節機構を動作させるために、調整者により操作される調節機構操作部材とを備え、
前記調節機構操作部材の操作部分は、前記打弦アクション機構よりも当該鍵盤楽器の演奏者側の位置に、演奏者側に向けて配設されている
ことを特徴とする鍵盤楽器のジャック脱進調整装置。
【請求項２】
鍵と、当該鍵の動作に応じて移動するジャックおよび移動する前記ジャックの一部に当接して当該ジャックの移動方向を変えるレギュレーチング部材を有する打弦アクション機構とを備える鍵盤楽器の消音装置であって、
前記打弦アクション機構による打弦を阻止する位置と、当該阻止する位置から待避した位置との間に移動可能に設けられるストッパ手段と、
前記ストッパ手段が前記阻止する位置に配置された場合に、移動する前記ジャックにおける前記レギュレーチング部材が当接する位置と異なる位置に当接して前記ジャックの回動速度を変える第２レギュレーチング部材と、
前記第２レギュレーチング部材を保持するアーム部材と、
前記アーム部材が取り付けられ、回動することによって、前記第２レギュレーチング部材を前記ジャックに当接する位置と、当接しない位置との間で変位させる回動軸と、
前記回動軸への前記アーム部材の取付位置を変更することにより当該アーム部材に保持される前記第２レギュレーチング部材の位置を移動させて前記ジャックとの当接タイミングを調節する調節機構と、
前記調節機構を動作させるために、調整者により操作される調節機構操作部材とを備え、
前記調節機構操作部材の操作部分は、前記打弦アクション機構よりも当該鍵盤楽器の演奏者側の位置に、演奏者側に向けて配設されている
ことを特徴とする鍵盤楽器の消音装置。
【請求項３】
一端が前記回動軸に取り付けられ、当該回動軸を回動させる駆動部材を含み、前記駆動部材を介して前記回動軸を回動させる駆動機構を有する
ことを特徴とする請求項２に記載の鍵盤楽器の消音装置。
【請求項４】
前記調節機構は、前記アーム部材に対して回動自在に連結される回動部材と、前記回動軸に固定される固定部材とを有し、
前記調節機構操作部材の操作量に応じて前記回動部材の回動端が前記固定部材に対して移動するようにし、当該回動端の移動により前記アーム部材を移動させて前記回動軸に対する前記アーム部材の取付位置が移動するようにした
ことを特徴とする請求項３に記載の鍵盤楽器の消音装置。
【請求項５】
前記調節機構操作部材は、前記固定部材に螺合されるネジ部材であって、一端が前記回動部材の回動端に連結され、他端が前記打弦アクション機構よりも当該鍵盤楽器の演奏者側の位置に演奏者側に向けて配設されるネジ部材であり、
当該ネジ部材の他端を回転操作することにより、前記固定部材に対する前記ネジ部材の螺合位置を変動させ、これにより前記ネジ部材に連結される前記回動端を前記固定部材に対して移動させるようにした
ことを特徴とする請求項４に記載の鍵盤楽器の消音装置。
【請求項６】
鍵と、当該鍵の動作に応じて移動するジャックおよび移動する前記ジャックの一部に当接して当該ジャックの移動方向を変えるレギュレーチング部材を有する打弦アクション機構とを備える鍵盤楽器であって、
移動する前記ジャックにおける前記レギュレーチング部材が当接する位置と異なる位置に当接して前記ジャックの回動速度を変える第２レギュレーチング部材と、
前記第２レギュレーチング部材を保持するアーム部材と、
前記アーム部材が取り付けられ、回動することによって、前記第２レギュレーチング部材を前記ジャックに当接する位置と、当接しない位置との間で変位させる回動軸と、
前記回動軸への前記アーム部材の取付位置を変更することにより当該アーム部材に保持される前記第２レギュレーチング部材の位置を移動させて前記ジャックとの当接タイミングを調節する調節機構と、
前記調節機構を動作させるために、調整者により操作される調節機構操作部材とを備え、
前記調節機構操作部材の操作部分は、前記打弦アクション機構よりも当該鍵盤楽器の演奏者側の位置に、演奏者側に向けて配設されている
ことを特徴とする鍵盤楽器。
【発明の詳細な説明】
【０００１】
【発明の属する技術分野】
本発明は、鍵盤楽器のジャック脱進調整装置、鍵盤楽器の消音装置および鍵盤楽器に関する。
【０００２】
【従来の技術】
ピアノ等の鍵盤楽器においては、通常の演奏と押鍵しても打弦しない消音演奏とを切換可能にしたものがある。このような鍵盤楽器の消音演奏時においては、押鍵に応動して回動したハンマが弦に当たる直前にハンマシャンクをストッパに当接させて打弦音の発生を抑止すると共に、鍵等の動作をセンサで検知し、押鍵に対応した音高及び強弱でなる楽音を電子的に発生させるようになっている。
【０００３】
ところで、上述した消音演奏可能な鍵盤楽器においては、単にストッパを配置しただけでは、鍵盤楽器の演奏不能状態を招くことがある。これは通常のピアノでは、接近（鍵を非常に低速で押し下げた場合のハンマーと弦との最小距離）が２mm程度であり、この値に接近を設定して消音演奏状態で押鍵すると、ジャックがハンマローラから脱進する前にハンマシャンクがストッパに当接することとなり、ハンマシャンクがジャックとストッパとの間に挟み込まれることがあるからである。これを防止するためには、ジャックがハンマローラから脱進するタイミングを早くして接近を大きくする場合もある。しかし、このように、鍵盤楽器の演奏不能状態を避けるためにハンマローラからジャックが脱進するタイミングを早くすると、通常演奏時の鍵盤のタッチ感が変化してしまう。
【０００４】
そこで、図８に示すように、通常のレギュレーチングボタン１に加えて、ジャック２におけるレギュレーチングボタン１と当接する先端部２ａよりも回動中心側の突起２ｂに当接する第２のレギュレーチングボタン３を設け、これらの２種類のレギュレーチングボタンを使い分けることにより、レギュレーチングボタン当接後のジャック２の脱進速度を変えてハンマ４の接近位置を拡大する鍵盤楽器が提案されている。この鍵盤楽器では、脱進開始タイミングを変更することなく、接近位置を拡大できるので、消音演奏時における鍵盤の鍵タッチ感を大きく損なうことがない。
【０００５】
【発明が解決しようとする課題】
ところで、図８に示すようにレギュレーチングボタン１に加えて第２のレギュレーチングボタン３を備えた鍵盤楽器においても、接近の調整を行う必要がある。このような調整作業を行う場合には、第２のレギュレーチングボタン３の位置をスクリュー３ａの軸方向に適宜移動させて第２のレギュレーチングボタン３とジャック２の突起２ｂとの当接位置を調整することになる。図８に示す鍵盤楽器では、このような第２のレギュレーチングボタン３の位置調整は、第２のレギュレーチングボタン３の上方に配置されたスクリュー３ａを用いて行われていた。具体的には、スクリュー３ａが回転操作されると、その操作量に応じて第２のレギュレーチングボタン３が図中矢印で示す方向に移動させられるようになっており、作業者は第２のレギュレーチングボタン３が所望量移動させられるようにスクリュー３ａの回転操作を行う。
【０００６】
しかしながら、上記のようにハンマアクション機構を構成する各部品の間の位置に設けられたスクリュー３ａを操作する場合には、鍵盤アクション機構を一旦ピアノ本体から取り出す必要がある。また、より正確な調整作業を行うには、実際に押鍵してハンマアクション機構を作動させることにより接近の寸法等のチェックを行うことが要求される。この場合には、鍵盤アクション機構をピアノ本体に戻し入れて押鍵する必要があり、このチェック結果が良好でなかった場合には、再度鍵盤アクション機構を取り出してスクリュー３ａを操作するといった作業が必要となる。したがって、作業が繁雑になるとともに、多大な作業時間を要することになる。
【０００７】
本発明は、上記の事情を考慮してなされたものであり、煩雑な作業を行うことなく、より正確な調整作業を行うことが可能なジャック脱進調整装置、鍵盤楽器の消音装置および鍵盤楽器を提供することを目的とする。
【０００８】
【課題を解決するための手段】
上記課題を解決するため、本発明の請求項１に記載のジャック脱進調整装置は、鍵と、当該鍵の動作に応じて移動するジャックおよび移動する前記ジャックの一部に当接して当該ジャックの移動方向を変えるレギュレーチング部材を有する打弦アクション機構とを備える鍵盤楽器において、前記ジャックが移動方向を変えるタイミングを調整する装置であって、
移動する前記ジャックにおける前記レギュレーチング部材が当接する位置と異なる位置に当接して前記ジャックの回動速度を変える第２レギュレーチング部材と、
前記第２レギュレーチング部材を保持するアーム部材と、
前記アーム部材が取り付けられ、回動することによって、前記第２レギュレーチング部材を前記ジャックに当接する位置と、当接しない位置との間で変位させる回動軸と、
前記回動軸への前記アーム部材の取付位置を変更することにより当該アーム部材に保持される前記第２レギュレーチング部材の位置を移動させて前記ジャックの一部との当接タイミングを調節する調節機構と、
前記調節機構を動作させるために、調整者により操作される調節機構操作部材とを備え、
前記調節機構操作部材の操作部分は、前記打弦アクション機構よりも当該鍵盤楽器の演奏者側の位置に、演奏者側に向けて配設されていることを特徴としている。
【０００９】
また、本発明の請求項２に記載の鍵盤楽器の消音装置は、鍵と、当該鍵の動作に応じて移動するジャックおよび移動する前記ジャックの一部に当接して当該ジャックの移動方向を変えるレギュレーチング部材を有する打弦アクション機構とを備える鍵盤楽器の消音装置であって、
前記打弦アクション機構による打弦を阻止する位置と、当該阻止する位置から待避した位置との間に移動可能に設けられるストッパ手段と、
前記ストッパ手段が前記阻止する位置に配置された場合に、移動する前記ジャックにおける前記レギュレーチング部材が当接する位置と異なる位置に当接して前記ジャックの回動速度を変える第２レギュレーチング部材と、
前記第２レギュレーチング部材を保持するアーム部材と、
前記アーム部材が取り付けられ、回動することによって、前記第２レギュレーチング部材を前記ジャックに当接する位置と、当接しない位置との間で変位させる回動軸と、
前記回動軸への前記アーム部材の取付位置を変更することにより当該アーム部材に保持される前記第２レギュレーチング部材の位置を移動させて前記ジャックとの当接タイミングを調節する調節機構と、
前記調節機構を動作させるために、調整者により操作される調節機構操作部材とを備え、
前記調節機構操作部材の操作部分は、前記打弦アクション機構よりも当該鍵盤楽器の演奏者側の位置に、演奏者側に向けて配設されていることを特徴としている。
【００１０】
また、本発明の請求項３に記載の鍵盤楽器の消音装置は、請求項２に記載の鍵盤楽器の消音装置において、
一端が前記回動軸に取り付けられ、当該回動軸を回動させる駆動部材を含み、前記駆動部材を介して前記回動軸を回動させる駆動機構を有することを特徴としている。
【００１１】
また、本発明の請求項４に記載の鍵盤楽器の消音装置は、請求項３に記載の鍵盤楽器の消音装置において、
前記調節機構は、前記アーム部材に対して回動自在に連結される回動部材と、前記回動軸に固定される固定部材とを有し、
前記調節機構操作部材の操作量に応じて前記回動部材の回動端が前記固定部材に対して移動するようにし、当該回動端の移動により前記アーム部材を移動させて前記回動軸に対する前記アーム部材の取付位置が移動するようにしたことを特徴としている。
【００１２】
また、請求項５に記載の鍵盤楽器の消音装置は、請求項４に記載の鍵盤楽器の消音装置において、
前記調節機構操作部材は、前記固定部材に螺合されるネジ部材であって、一端が前記回動部材の回動端に連結され、他端が前記打弦アクション機構よりも当該鍵盤楽器の演奏者側の位置に演奏者側に向けて配設されるネジ部材であり、
当該ネジ部材の他端を回転操作することにより、前記固定部材に対する前記ネジ部材の螺合位置を変動させ、これにより前記ネジ部材に連結される前記回動端を前記固定部材に対して移動させるようにしたことを特徴としている。
【００１３】
また、本発明の請求項６に記載の鍵盤楽器は、鍵と、当該鍵の動作に応じて移動するジャックおよび移動する前記ジャックの一部に当接して当該ジャックの移動方向を変えるレギュレーチング部材を有する打弦アクション機構とを備える鍵盤楽器であって、
移動する前記ジャックにおける前記レギュレーチング部材が当接する位置と異なる位置に当接して前記ジャックの回動速度を変える第２レギュレーチング部材と、
前記第２レギュレーチング部材を保持するアーム部材と、
前記アーム部材が取り付けられ、回動することによって、前記第２レギュレーチング部材を前記ジャックに当接する位置と、当接しない位置との間で変位させる回動軸と、
前記回動軸への前記アーム部材の取付位置を変更することにより当該アーム部材に保持される前記第２レギュレーチング部材の位置を移動させて前記ジャックとの当接タイミングを調節する調節機構と、
前記調節機構を動作させるために、調整者により操作される調節機構操作部材とを備え、
前記調節機構操作部材の操作部分は、前記打弦アクション機構よりも当該鍵盤楽器の演奏者側の位置に、演奏者側に向けて配設されていることを特徴としている。
【００１４】
【発明の実施の形態】
以下、図面を参照して本発明の実施形態について説明する。
Ａ．グランドピアノのアクション機構
まず、図１は本発明の第１実施形態に係る消音装置を備えたグランドピアノの１つの鍵の動作に応じて駆動されるアクション機構を示す側断面図である。ここで、同図に示すように、このアクション機構（打弦アクション機構）は、鍵１０と、この鍵１０の動作により駆動されるウイペン１１と、このウイペン１１の動作により駆動されるジャック１２と、このジャック１２により駆動されて弦Ｓを打撃するハンマアセンブリ１３とを備えている。そして押鍵により鍵１０の後端側（図の左端側）が上昇し、そこに固定されたキャプスタン１４がウイペン１１を押し上げるようになっている。
【００１５】
鍵１０は、バランスピン１０５によって回動自在に支持されており、このような鍵１０の複数が図の紙面垂直方向である左右方向に並設され鍵盤が構成される。演奏者により鍵１０の前端部（図の右側）が押下されると、鍵１０はバランスピン１０５を支点として図中時計回りの方向に回動するようになっている。さらに、鍵１０の後端部には、バックチェックが設けられている。符号１５は、サポートレールであり、サポートレール１５の端部（図の左端部）には、ウイペン１１の左端部が回動自在に支持されている。ウイペン１１の自由端（図の右端）には、略Ｌ字形状のジャック１２がその屈曲部分近傍で回動自在に取り付けられている。ここでジャック１２は、斜め上方に向けて延在するジャック大１２Ａと、このジャック大１２Ａに対してほぼ直交するジャック小１２Ｂとから構成されている。本実施形態では、後述する通常演奏時にレギュレーチングボタン２３と当接する先端突起１２Ｂａと、先端突起１２Ｂａよりもジャック回転中心側に設けられ、消音演奏時にレギュレーチングバー２２３と当接する突起１２Ｂｂとがジャック小１２Ｂに設けられている。
【００１６】
また、ウイペン１１の中央部には、支柱１６が取り付けられ、支柱１６の上端部にはレペティションレバー１７の中間部が回転自在に取り付けられている。レペティションレバー１７の右端部には、上下方向に向けて貫通する長孔１７Ａが形成され、長孔１７Ａには、ジャック大１２Ａの上端部が挿入されている。
【００１７】
符号１８は、鍵盤の配列方向に亘って延在するシャンクレールであり、シャンクレール１８には、ハンマアセンブリ１３の基部を構成するハンマフレンジ１９が固定されている。ハンマフレンジ１９の左端部には、先端部にハンマヘッド２０が固定されたハンマシャンク２１が上下方向に回動自在に取り付けられている。ハンマシャンク２１の基端部下面には、ローラー２２が取り付けられている。ローラー２２の下面は、レペティションレバー１７の長孔１７Ａに挿入されたジャック大１２Ａの上端面と僅かな隙間を持った状態でレペティションレバー１７の上面に当接させられている。
【００１８】
シャンクレール１８には、複数の鍵１０の配列方向に亘って延在するレギュレーチングレール１１９が支持されている。レギュレーチングレール１１９の下部には、ジャック１２に対応してレギュレーチングボタン２３が設けられている。
【００１９】
上述した構成は、ジャック小１２Ｂが突起１２Ｂｂを有している以外は、従来知られたグランドピアノと同様であり、以下、このようなグランドピアノに搭載される消音装置について説明する。
【００２０】
Ｂ．消音装置
本実施形態に係る消音装置は、ストッパ機構３０と、レギュレーチングバー（第２レギュレーチング部材）２２３と、レギュレーチングバー２２３を後述する消音演奏時の位置と、通常演奏時の位置との間で移動させる駆動機構３００と、レギュレーチングバー２２３の位置を調節するための調節機構３０５とを備えている。
【００２１】
Ｂ−１．ストッパ機構
ストッパ機構３０は、鍵１０の配列方向を軸方向とする軸３３Ａを有しており、この軸３３Ａにハンマストッパ３３が固着されている。また、ハンマストッパ３３の右側面には、ハンマシャンク２１が当接する緩衝材３３Ｂが取り付けられている。ここで、軸３３Ａは、所定角度範囲で回転可能になされている。
【００２２】
この構成の下、図１に示す状態から軸３３Ａが回動させられると、図２に示すように、ハンマストッパ３３が回動し、緩衝材３３Ｂがハンマシャンク２１の移動範囲に位置するようになされている。この状態で、鍵１０が押下された場合、図２中２点鎖線で示すように、ハンマヘッド２０が弦Ｓを打撃する前にハンマストッパ３３によりハンマシャンク２１の回動が阻止されるようになっている。このような位置にハンマストッパ３３が配置されている状態が、鍵１０を押下操作しても弦Ｓがハンマヘッド２０に打撃されない状態、いわゆる消音演奏状態である。
【００２３】
一方、ハンマストッパ３３が図１に示す位置に配置されている場合には、図１中２点鎖線で示すように、ハンマヘッド２０の回動が阻止されずに弦Ｓが打撃されるようになっている。このような位置にハンマストッパ３３が配置されている状態が、鍵１０の押下操作に応じて弦Ｓが打撃される状態、いわゆる通常演奏状態である。ここで、軸３３Ａを駆動する駆動機構としてはワイヤやモータ等の公知の機構を用いることができる。
【００２４】
Ｂ−２．レギュレーチングバー
図１〜図３に示すように、レギュレーチングバー２２３は、グランドピアノの左右方向（図１および図２の紙面垂直方向）に延在する部材であり、その下面には消音演奏時にジャック小１２Ｂの突起１２Ｂｂと当接するレギュレーチンググロス２２３ａが設けられている。ここで、レギュレーチングバー２２３は、グランドピアノ全体に延在するものであってもよいし、音域毎に複数設けるようにしてもよい。例えば、低音域、中音域および高音域毎にそれぞれ２つのレギュレーチングバー２２３、つまり合計６つのレギュレーチングバー２２３を設けるようにしてもよく、レギュレーチングバー２２３を設ける数は任意である。
【００２５】
Ｂ−３．駆動機構
このようなレギュレーチングバー２２３は、駆動機構３００によって通常演奏時の位置（図１参照）と消音演奏時の位置（図２参照）との間を移動させられられるようになっている。駆動機構３００は、グランドピアノの左右方向である鍵１０の配列方向に延在するレギュレーチングロッド（回動軸）１５０を有している。レギュレーチングロッド１５０は、シャンクレール１８にネジ１５３により固定されたロッド支持部１５４によって回転自在に支持されている。図３ではレギュレーチングロッド１５０の両端を支持する構造となっているが、これに限らず、レギュレーチングロッド１５０の中間部分の１または複数箇所にロッド支持部１５４を設けて支持するようにしてもよい。
【００２６】
レギュレーチングロッド１５０の一端には、レギュレーチングロッドレバー１５１の上端が取り付けられている。図１および図２に示すように、レギュレーチングロッドレバー１５１の下端は、リンク部材１５２の一端と回転自在に結合されている。このリンク部材１５２が図示せぬ駆動機構により図１および図２の略左右方向であるグランドピアノの前後方向に移動させられることにより、レギュレーチングロッドレバー１５１が回動させられると、これの上端に取り付けられたレギュレーチングロッド１５０がその位置において回転させられるようになっている。
【００２７】
レギュレーチングロッド１５０の複数箇所（図３では両端の２箇所）には、後述する調節機構３０５を介してレギュレーチングバーブラケット（アーム部材）１６１の一端が回転自在に取り付けられている。レギュレーチングバーブラケット１６１は、レギュレーチングロッド１５０が挿入結合される結合部１６１ａと、結合部１６１ａからアクション機構側である図１および図２の左側に延びるアーム部１６１ｂと、アーム部１６１ｂの先端から下方側に延び、その下端部にレギュレーチングバー２２３を保持する保持部１６１ｃとから構成されている。このようなレギュレーチングバーブラケット１６１は、レギュレーチングロッド１５０の回転に伴ってレギュレーチングロッド１５０を中心として回動させられるようになっている。
【００２８】
この構成の下、図１に示す通常演奏状態からレギュレーチングロッド１５０が図１中反時計回りに回転すると、これに伴ってレギュレーチングバーブラケット１６１が反時計回りに回動させられる。このようなレギュレーチングバーブラケット１６１の回動により通常演奏状態よりもレギュレーチングバー２２３が下方側に位置する消音演奏状態となる（図２参照）。このような位置にレギュレーチングバー２２３が配置されている場合には、鍵１０の押下操作に応じて運動するジャック１２の突起１２Ｂｂがレギュレーチングバー２２３に当接するようになっている。本実施形態では、このような消音演奏状態において、ジャック小１２Ｂの突起１２Ｂｂが当接するタイミングとジャック小１２Ｂの先端突起１２Ｂａがレギュレーチングボタン２３に当接するタイミングとが同時であるように設定している。
【００２９】
一方、図２に示す消音演奏状態からレギュレーチングロッド１５０が図２中時計回りに回転すると、これに伴ってレギュレーチングバーブラケット１６１が時計回りに回動させられる。このようなレギュレーチングバーブラケット１６１の回動によりレギュレーチングバー２２３は上方に移動させられ、鍵１０の押下操作によるジャック１２の移動範囲から待避した位置に配置される（図１参照）。
【００３０】
Ｂ−４．調節機構
次に、上述したように通常演奏状態と消音演奏状態の位置との間で移動可能なレギュレーチングバー２２３の位置を調節することが可能な調節機構（脱進タイミング調整装置）３０５について図４および図５を参照しながら説明する。図４および図５に示すように、調節機構３０５は、上述したレギュレーチングロッド１５０へのレギュレーチングバーブラケット１６１の取付位置を調整することによりレギュレーチングバーブラケット１６１に保持されるレギュレーチングバー２２３の位置調整を行う機構であり、回動部材１６０と、固定部１８０と、レギュレーチングスクリュー（調節機構操作部材）１７０とを有している。
【００３１】
回動部材１６０は、レギュレーチングバーブラケット１６１と結合されている。ここで、回動部材１６０は、結合部１６１ａの下部の支点１６０ｂを中心として回転自在に結合されており、両者は支点１６０ｂを中心として互いに相対回転が可能になされている。回動部材１６０は、その演奏者側（図４中右側）の一端部が結合部１６１ａに結合されており、他端側にはレギュレーチングロッド１５０の軸方向に屈曲して延在する屈曲部１６０ｃが形成されている。屈曲部１６０ｃには、後述するレギュレーチングスクリュー（操作部材）１７０が挿通させられる挿通部１６０ｄが形成されている。
【００３２】
固定部１８０は、レギュレーチングバーブラケット１６１に形成された挿通孔１６１ｄと連通する挿通孔１８０ａが形成されており、レギュレーチングロッド１５０は挿通孔１６１ｄおよび挿通孔１８０ａを挿通させられるようになっている。ここで、挿通孔１６１ｄの内周面にはレギュレーチングバーブラケットブッシンググロス１６１ｅが接着されており、レギュレーチングロッド１５０はこのレギュレーチングバーブラケットブッシンググロス１６１ｅに対して固着されていない。すなわち、レギュレーチングバーブラケット１６１はレギュレーチングロッド１５０に対して回転可能になされている。これに対し、固定部１８０は、挿通孔１８０ａを挿通させられるレギュレーチングロッド１５０に対してネジ１８０ｂによって取付固定されており、レギュレーチングロッド１５０に対する相対回転ができないようになされている。
【００３３】
固定部１８０は、その演奏者側の面１８０ｃが上述した挿通孔１８０ａの部分から下方側に延在しており、その下端側にはレギュレーチングスクリュー１７０が螺合されるネジ孔１８０ｄが形成されている。
【００３４】
レギュレーチングスクリュー１７０は、その皿部１７０ａが演奏者と反対側に、先端部１７０ｂが演奏者側となるように上述した挿通部１６０ｄにパンチンググロス１７０ｅを介して挿通させられるとともに、螺旋状の溝が形成された先端側がネジ孔１８０ｄに螺合されている。図６に示すように、レギュレーチングスクリュー１７０が挿通・螺合された状態で、屈曲部１６０ｃと皿部１７０ａとを覆うようにレギュレーチングスクリューキャップ１７０ｃが嵌め込まれている。これにより、屈曲部１６０ｃはレギュレーチングスクリュー１７０の皿部１７０ａと結合され、皿部１７０ａの移動に伴って屈曲部１６０ｃが移動するようになっている。すなわち、固定部１８０の面１８０ｃから突出したレギュレーチングスクリュー１７０の先端部１７０ｂを調整者が回転操作することにより、レギュレーチングスクリュー１７０がその軸方向に移動させられ、この移動に伴って屈曲部１６０ｃが移動させられるようになっているのである。このように屈曲部１６０ｃを移動させることにより、レギュレーチングバー２２３の位置調節を行うことができるが、これについては後述する。
【００３５】
Ｃ．演奏時の動作
次に、上記構成の消音装置を備えたグランドピアノの演奏時の動作について説明する。
【００３６】
Ｃ−１．通常演奏
まず、通常の演奏を行う場合には、図１に示すように、ストッパ機構３０はハンマシャンク２１の移動範囲から待避した位置に配置され、レギュレーチングバー２２３は、ジャック小１２Ｂの移動範囲から待避した位置に配置される。
【００３７】
この状態で、鍵１０が押下されると、鍵１０に取り付けられたキャプスタン１４がウイペン１１を突き上げ、ウイペン１１を反時計回りに回動させる。これに伴い、このウイペン１１の自由端に回動自在に取り付けられたジャック１２のジャック大１２Ａがローラー２２を突き上げ、ハンマシャンク２１を時計回りの方向へ回動させる。この後、ジャック小１２Ｂの先端突起１２Ｂａがレギュレーチングボタン２３に当接すると、ジャック大１２Ａが時計方向に回転してハンマシャンク２１に取り付けられたローラー２２から離間する。ジャック１２から離間したハンマシャンク２１は、その慣性力により回動を続け、ハンマヘッド２０が押鍵された鍵に対応する弦Ｓを打撃する（図１において２点鎖線により示す）。その後、跳ね返ったハンマヘッド２０はバックチェックにより保持される。
【００３８】
次に離鍵が行われると、ハンマヘッド２０はバックチェックから解放される。さらに、押鍵時とは逆にウイペン１１が時計方向に回動し、ジャック小１２Ｂとレギュレーチングボタン２３との係合状態が徐々に解除され、ジャック１２が反時計方向に回動してジャック大１２Ａがレペティションレバー１７によって支持されているローラー２２の真下側に移動し、押鍵前の初期位置に戻る。なお、以上の動作は従来のグランドピアノと同様である。
【００３９】
Ｃ−２．消音演奏
次に、消音演奏時の動作について説明する。消音演奏を行う場合には、図２に示すように、ストッパ機構３０はハンマシャンク２１の移動範囲の位置に配置され、レギュレーチングバー２２３はジャック小１２Ｂの移動範囲の位置に配置される。
【００４０】
この状態で鍵１０が押下されると、通常演奏の場合と同様にキャプスタン１４がウイペン１１を反時計回りに回動させ、ジャック大１２Ａが、ローラー２２を突き上げ、ハンマシャンク２１を時計回りに回動させる。この後、ジャック小１２Ｂの突起１２Ｂｂがレギュレーチングバー２２３に、先端突起１２Ｂａがレギュレーチングボタン２３に当接する。これによりジャック１２は、ハンマシャンク２１に取り付けられたローラー２２から離間する。この後、ジャック１２から離間して回動を続けるハンマシャンク２１は、ハンマヘッド２０が弦Ｓに当たる手前でハンマストッパ３３に当接し（図２において２点鎖線により示す）、時計回りの方向に跳ね返される。その後の動作は通常演奏の場合と同様である。
【００４１】
上述したように消音演奏時においても、突起１２Ｂｂおよび先端突起１２Ｂａがレギュレーチングバー２２３およびレギュレーチングボタン２３に当接するタイミング（脱進開始タイミング）は通常演奏時と同じであるが、突起１２Ｂｂがレギュレーチングバー２２３に当接するため、ジャック１２の回動支点から回動力点までの距離が通常演奏時よりも短くなる。したがって、ジャック１２の回転速度および回転量（回転角度）が大きくなる。このようにジャック１２の回転速度が大きくなった場合のジャック大１２Ａの上面の運動に着目すると、垂直方向に作用する駆動成分よりも水平方向に作用する駆動成分が大きくなり、ローラー２２の下部から早く抜け出し、通常演奏時よりも上昇量が少なくなる。これにより、消音演奏時における接近は、通常演奏時よりも大きくなり、ハンマシャンク２１がジャック１２とストッパ機構３０との間に挟み込まれるといったことが抑制され、通常演奏時と同様の演奏性を維持することができる。この際、上述したように脱進開始タイミングは通常演奏時と同様であるため、通常演奏時、つまり通常のアコースティックピアノと鍵タッチ感がほとんど変わらない。
【００４２】
Ｄ．レギュレーチングバーの位置調節
上述したように本実施形態に係るグランドピアノでは、レギュレーチングボタン２３と先端突起１２Ｂａが当接するタイミングと同時にレギュレーチングバー２２３を突起１２Ｂｂに当接させることにより、連打性や鍵タッチ感を損なうことのない消音演奏を可能としている。しかしながら、工場での製造時やメンテナンス時に消音演奏時における接近の距離を調節するといった作業を行う必要があり、この場合にはレギュレーチングバー２２３の位置を調節する必要がある。本実施形態では、このようにレギュレーチングバー２２３の位置を調節するために、上述した調節機構３０５を設けており、以下、レギュレーチングバー２２３の位置調節時の操作、ならびにその時の調節機構３０５の動作について図５および図７を参照しながら説明する。
【００４３】
まず、初期状態として調節機構３０５が図５に示す位置にあるとし、この状態からレギュレーチングバー２２３を上方側に移動させる場合について説明する。この場合、調整者は面１８０ｃから演奏者側である前面側（図の右側）に突出するレギュレーチングスクリュー１７０の先端部１７０ｂを回転操作し、ネジ孔１８０ｄによるレギュレーチングスクリュー１７０の螺合位置を先端側に移動させる。つまり、先端部１７０ｂを回転操作して、その操作量に応じた分だけレギュレーチングスクリュー１７０を図の左側に移動させ、皿部１７０ａと面１８０ｃとの間の距離を長くする。このようにレギュレーチングスクリュー１７０を移動させると、図７（ａ）に示すように、皿部１７０ａの移動に伴って屈曲部１６０ｃが図の左側に移動させられる。
【００４４】
ここで、回動部材１６０は、レギュレーチングバーブラケット１６１と回転自在に結合されており、かつレギュレーチングスクリューキャップ１７０ｃによって皿部１７０ａと一体になされているため、レギュレーチングスクリュー１７０の軸方向に沿って移動させられる。つまり、回動部材１６０は延在方向が水平方向に維持されたまま移動させられることになる。このように回動部材１６０が水平状態を維持したまま左側に移動させられると、これに結合されるレギュレーチングバーブラケット１６１は、レギュレーチングロッド１５０を中心として図中時計回りに回動させられる。ここで、レギュレーチングバーブラケット１６１と、回動部材１６０とは支点１６０ｂを中心として回転自在に結合されているので、両者が相対的に回動することにより、レギュレーチングバーブラケット１６１の回動変位と回動部材１６０の水平方向への変位が許容される。
【００４５】
このようにレギュレーチングバーブラケット１６１が時計回りに回動させられると、保持部１６１ｃに保持されたレギュレーチングバー２２３が上方に移動する。ここでのレギュレーチングバー２２３の移動量は、調整者による先端部１７０ｂの回転操作量に応じたものになるため、調整者はレギュレーチングバー２２３が所望量移動するように先端部１７０ｂを回転操作すればよい。このように調節機構３０５は、レギュレーチングスクリュー１７０の操作量に応じてレギュレーチングロッド１５０に対するレギュレーチングバーブラケット１６１の取付位置を調整し、これによりレギュレーチングバー２２３の位置を調節している。なお、このようにレギュレーチングバー２２３を上方に移動させれば、消音演奏時にレギュレーチングバー２２３と突起１２Ｂｂが当接するタイミングが図５に示す状態よりも遅くなる、つまり脱進開始タイミングが遅くなるので接近が狭くなる。
【００４６】
一方、図５に示す初期状態からレギュレーチングバー２２３を下方側に移動させる場合には、調整者は先端部１７０ｂを上方側に移動させる場合とは逆方向に回転操作する。これにより、ネジ孔１８０ｄによるレギュレーチングスクリュー１７０の螺合位置を皿部１７０ａ側に移動させる。つまり、先端部１７０ｂを回転操作して、その操作量に応じた分だけレギュレーチングスクリュー１７０を図の右側に移動させ、皿部１７０ａと面１８０ｃとの間の距離を短くする。このようにレギュレーチングスクリュー１７０を移動させると、図７（ｂ）に示すように、皿部１７０ａの移動に伴って屈曲部１６０ｃが図の右側に移動させられる。ここで、回動部材１６０の移動方向は、上述したようにレギュレーチングスクリュー１７０の軸方向に沿ったものとなる。このように回動部材１６０が図の右側に移動させられると、これに回転自在に結合されるレギュレーチングバーブラケット１６１は、レギュレーチングロッド１５０を中心として図中反時計回りに回動させられる。したがって、保持部１６１ｃに保持されたレギュレーチングバー２２３が先端部１７０ｂの回転操作量に応じた分だけ下方に移動する。なお、このようにレギュレーチングバー２２３を下方に移動させれば、消音演奏時にレギュレーチングバー２２３と突起１２Ｂｂが当接するタイミングが図５に示す状態よりも早くなる、つまり脱進開始タイミングが早くなるので接近が拡大する。
【００４７】
本実施形態では、調節機構３０５によりレギュレーチングバー２２３の位置調節を行うことができる。ここで、調節作業のために調整者が回転操作するレギュレーチングスクリュー１７０の先端部１７０ｂは、面１８０ｃの演奏者側に突出している。つまり、本実施形態では、調整者により操作される先端部１７０ｂは、このグランドピアノのアクション機構を構成する各部品よりも演奏者側の位置に、演奏者側に向けて配置されているのである。したがって、鍵盤アクション機構をピアノ本体から取り出すことなく、上述したようなレギュレーチングバー２２３の位置調節作業を行うことができる。
【００４８】
また、より正確な調節作業を行うには、実際に押鍵してハンマアクション機構を作動させることにより接近の寸法等のチェックを行うことが要求される場合がある。このような場合にも、本実施形態では、鍵盤アクション機構をピアノ本体に収めたまま調節作業を行うことができるので、鍵盤アクション機構を出し入れするといった煩雑な作業が不要となり、作業時間を短縮できる。
【００４９】
また、本実施形態では、レギュレーチングスクリュー１７０の軸方向への移動、つまり直線方向の移動をレギュレーチングバーブラケット１６１の回動移動に変換してレギュレーチングバー２２３を移動させている。このような直線移動を回動移動に変換する構造において、回動移動するレギュレーチングバーブラケット１６１と直線移動する回動部材１６０を回転自在に結合させている。これにより、両者の間において移動方向の変換がスムーズに行われ、皿部１７０ａと保持部１６１ｃとが面接触ではなく、点接触になるといったことが防止されるとともに、レギュレーチングスクリュー１７０に曲げ応力が加わるといったこともない。したがって、調節機構３０５の損傷を抑制できるとともに、レギュレーチングスクリュー１７０による調整範囲が減少してしまうことも抑制できる。
【００５０】
Ｅ．変形例
なお、本発明は、上述した実施形態に限定されるものではなく、以下のような種々の変形が可能である。
【００５１】
（変形例１）
上述した実施形態においては、ストッパ機構３０によってハンマシャンク２１の運動を阻止して消音演奏を実現する消音装置を備えたグランドピアノについて説明したが、これに限らず、上述した構成のグランドピアノにおいて、ストッパ機構３０を用いずに弱音演奏を可能とするピアノに本発明を適用することも可能である。具体的な手法は次の通りである。
【００５２】
上述したように、レギュレーチングバー２２３にジャック小１２Ｂを当接させると、通常演奏時よりもジャック１２の回転速度が大きくなる。ジャック１２の回転速度が大きくなると、ハンマアセンブリ１３に対する上方向への駆動成分が減少するとともに、脱進の終了が早くなるので、ハンマアセンブリ１３に押鍵による操作力が直接的に伝達される時間が短くなる。したがって、ハンマアセンブリ１３による打弦時の回動速度が減少し、通常の演奏よりも弱い打撃力で弦Ｓを打撃する。これにより、通常の演奏よりも音量の小さい弱音演奏が可能となる。
【００５３】
（変形例２）
また、上述した実施形態では、調節機構３０５は、レギュレーチングスクリュー１７０を回転操作することにより、レギュレーチングバー２２３の位置調整を可能とするものであったが、その構成は上述した構成に限るものではない。すなわち、レギュレーチングスクリュー１７０の回転操作に応じてレギュレーチングバー２２３を変位させることができるものであればよい。また、レギュレーチングスクリュー１７０を回転操作する以外にも、押し引き可能な部材を押し引き操作するようなものであってもよく、操作部材の操作部分がアクション機構より演奏者側に、演奏者側に向けて配置されていれば、上述した実施形態と同様にレギュレーチングバー２２３の位置調整作業を容易にすることができる。
【００５４】
（変形例３）
また、上述した実施形態では、消音演奏時に使用されるレギュレーチングバー２２３の位置を調整する調節機構３０５を備えたグランドピアノについて説明したが、通常の一般的なグランドピアノに搭載されるレギュレーチングボタン２３の位置調節機構として調節機構３０５と同様なものを用いるようにしてもよい。また、レギュレーチングボタン２３の位置調節機構としても、調節機構３０５以外の構成のものを用いるようにしてもよく、位置調節のための操作部材の操作部分がアクション機構よりも演奏者側に、演奏者側に向けて配置されていればよい。
【００５５】
（変形例４）
また、上述した実施形態においては、本発明をグランドピアノに適用した場合について説明したが、これに限らず、アップライトピアノなど他の鍵盤楽器に適用することも可能である。
【００５６】
【発明の効果】
以上説明したように、本発明によれば、煩雑な作業を行うことなく、より正確な調整作業を行うことが可能となる。
【図面の簡単な説明】
【図１】  本発明の一実施形態に係る消音装置を備えたグランドピアノのアクション機構近傍を示す側断面図である。
【図２】  消音演奏時における前記グランドピアノのアクション機構近傍を示す側断面図である。
【図３】  前記消音装置の構成要素である駆動機構および調節機構を示す分解斜視図である。
【図４】  前記調節機構を示す分解斜視図である。
【図５】  前記駆動機構および前記調節機構を示す側面図である。
【図６】  前記調節機構を示す分解斜視図である。
【図７】  前記消音装置の構成要素であるレギュレーチングバーの位置調整時における前記調節機構の動作を説明するための図である。
【図８】  従来の消音装置を備えたグランドピアノのアクション機構近傍を示す側断面図である。
【符号の説明】
１０……鍵、１２……ジャック、１２Ｂａ……先端突起、１２Ｂｂ……突起、１３……ハンマアセンブリ、２０……ハンマヘッド、２１……ハンマシャンク、２３……レギュレーチングボタン、３０……ストッパ機構、１５０……レギュレーチングロッド、１５１……レギュレーチングロッドレバー、１６０……アーム部、１６１……レギュレーチングバーブラケット、１７０……レギュレーチングスクリュー（調節機構操作部材）、１７０ｂ……先端部、１８０……固定部、３００……駆動機構、３０５……調節機構
【図１】
0003671814.tif 000002
【図２】
0003671814.tif 000003
【図３】
0003671814.tif 000004
【図４】
0003671814.tif 000005
【図５】
0003671814.tif 000006
【図６】
0003671814.tif 000007
【図７】
0003671814.tif 000008
【図８】
0003671814.tif 000009